(57)【要約】【課題】テンションメンバが１本の構成にあって光ファイバ心線の取り出しが確実に行え、且つマーキングを容易に視認することが可能な光ドロップケーブルを提供する。【解決手段】光ドロップケーブル１は、吊線１０、テンションメンバ１１及び光ファイバ心線１２が同一平面上に平行配置され、これらが難燃ポリエチレンによる共通シース１３によって被覆されている。共通シース１３は、吊線１０を主体にした吊線部１６と、テンションメンバ１１及び光ファイバ心線１２を主体にした本体部１７と、この本体部１７に連結させて光ファイバ心線１２の近傍の両側に一対のノッチ１５，１５を斜めに形成するシース部２０との３ブロックを形成している。シース部２０の両側の平坦面はマーキング領域として利用される。【選択図】図１
2013020097.tif 000002
【特許請求の範囲】
【請求項１】
平行に配置された光ファイバ心線とテンションメンバとを外被によって被覆した本体部が首部を介して吊線部と一体に連結された光ドロップケーブルにおいて、
前記テンションメンバが前記本体部の略中央部に配置された前記光ファイバ心線よりも前記吊線部側に配置され、
前記本体部に前記吊線部側の両角部から前記光ファイバ心線に近接するようにして当該光ファイバ心線取り出し用の一対のノッチを形成することにより断面略Ｕ字形状でその断面積が１．５ｍｍ２以上の前記光ファイバ心線及び前記テンションメンバが存在しないシース部を形成し、当該シース部の側面を印刷面としたことを特徴とする光ドロップケーブル。
【請求項２】
平行に配置された光ファイバ心線とテンションメンバとを外被によって被覆した本体部が首部を介して吊線部と一体に連結された光ドロップケーブルにおいて、
前記テンションメンバが前記本体部の略中央部に配置された前記光ファイバ心線よりも前記吊線部側とは反対側に配置され、
前記本体部に前記吊線部とは反対側の両角部から前記光ファイバ心線に近接するようにして当該光ファイバ心線取り出し用の一対のノッチを形成することにより断面略Ｕ字形状でその断面積が１．５ｍｍ２以上の前記光ファイバ心線及び前記テンションメンバが存在しないシース部を形成し、当該シース部の側面を印刷面としたことを特徴とする光ドロップケーブル。
【請求項３】
請求項１又は２に記載の光ドロップケーブルにおいて、
前記ノッチは、断面が略Ｖ字状でその先端が前記光ファイバ心線に向かって屈曲して形成されていることを特徴とする光ドロップケーブル。
【発明の詳細な説明】
【技術分野】
【０００１】
本発明は、光ドロップケーブルに関し、さらに詳しくは、吊線部から本体部を引き裂いたときに光ファイバ心線が損傷し難く、マーキングの視認性を向上させた光ドロップケーブルに関する。
【背景技術】
【０００２】
近年、ＦＴＴＨ（Fiber To The Home）が急速に普及し、電柱等に架設された架空用ケーブル（幹線ケーブル）からオフィス、一般加入者宅等へ光ファイバを引き込み配線する場合、電柱上の引き落とし用クロージャから光ドロップケーブルを用いてオフィス、一般加入者宅等に引き込まれる。これまで使用されてきた従来の光ドロップケーブルの構成について図３を参照して説明する。
【０００３】
従来の光ドロップケーブル１００は、図３に示すように、鋼線によって形成された吊線１０１と、テンションメンバ１０２と、光ファイバ心線１０３と、テンションメンバ１０４とを一直線上（同一平面上）に配置し、これらを難燃ポリエチレンによる共通シース１０５によって被覆して構成されている。そして、共通シース１０５は、吊線１０１とテンションメンバ１０２との間に狭幅の首部１０６が設けられ、さらに、光ファイバ心線１０３の両側面に先端が光ファイバ心線１０３に向かって延びる断面Ｖ字形状のノッチ部１０７，１０７がそれぞれ設けられている。ここで、吊線１０１で当該部分を被覆している共通シース１０５とで吊線部１０８を形成し、テンションメンバ１０２、光ファイバ心線１０３心線及びテンションメンバ１０４とこれらを被覆している共通シース１０５とで本体部１０９を形成している。
【０００４】
このような光ドロップケーブル１００は、電柱から加入者宅まで引き込まれた後、首部１０６の部分から本体部１０９が吊線部１０８から引き剥がされ、さらに、本体部１０９の両側面に設けられた断面Ｖ字形状のノッチ部１０７，１０７を利用して光ファイバ心線１０３を本体部１０９から取り出し、図示しない光キャビネット内でインドア光ファイバ等と接続される。
【０００５】
ところで、光ドロップケーブルは低コスト化が望まれており、２本のテンションメンバ１０２，１０４のいずれかを除いて１本とすることが有効であるところ、特許文献１では、図３に示したケーブル（特許文献１では近接した２本の光ファイバ心線１０３を備えている）からテンションメンバ１０４を除いたケーブルを試作して、首部１０６を裂いて本体部１０９と吊線部１０８の分離作業を行った。その結果、本体部１０９に曲げ癖が残留し易くなったため本体部１０９に著しいカールが発生し、その後本体部のノッチ１０７を裂いて光ファイバ心線１０３の取り出や、本体部１０９の機器へ取り付けが不可能になるという不具合が発生したことから、図４に示す光ファイバケーブルを提案している。すなわち、図４に示す光ファイバケーブルは、テンションメンバ１０４を弾性限界が２％以上の材料によって形成し、テンションメンバ１０４が光ファイバ心線１０３心線の位置を基準に吊線部１０８とは反対側に一本のみ配置すると共に、光ファイバ心線１０３の位置を基準に吊線部１０８側の本体部１０９のシース断面積が、テンションメンバ１０４を含む側の本体部１０９のシース断面積よりも小さいことを特徴としている。
【先行技術文献】
【特許文献】
【０００６】
【特許文献１】特許第３６５９２３４号公報
【発明の概要】
【発明が解決しようとする課題】
【０００７】
図４に示す特許文献１の光ファイバケーブルの構成によれば、吊線部１０８から本体部１０９を引き裂いて分離した場合、光ファイバ心線１０３心線は折れることなく保たれるが、本体部１０９の両側面には大きな断面Ｖ字形状のノッチ部１０７，１０７が設けられていることから本体部１０９の側面のうち平面状となっている部分の面積は非常に狭くなっている。本体部１０９の側面には、インクジェットプリンタ等を使用して長さや製造時期等のマーキング表示を行う必要があるが、マーキングのためのスペースがノッチ部１０７と重なってしまうため、ノッチ部１０７の凹み部に印字することになり、著しく視認性が悪くなるという問題がある。特に、光ドロップケーブルの布線工事においては、ケーブル残長管理が必須であり、上記マーキングは光ドロップケーブルの長さ方向に１ｍ毎になされており、このマーキングがノッチ部１０７の凹み部に印字されてしまった場合、例えば、「８」と「０」の判別がしにくくなるといった問題が生じる。
【０００８】
そこで、発明者らは鋭意検討を行ったところ、本体部１０９のほぼ中心に配置された光ファイバ心線１０３を基準として吊線部１０８側又は吊線部１０８側とは反対側の本体部の断面積が１．５ｍｍ２以上であれば吊線部１０８から本体部１０９を引き裂いて分離しても光ファイバ心線１０３心線は折れないこと判明した。
【０００９】
そこで、本発明は、かかる問題点に鑑みなされたもので、従来光ファイバ心線を挟んで２本のテンションメンバが配置されていた光ドロップケーブルから１本のテンションメンバを除いても吊線部から本体部を分離しても光ファイバ心線が折れることなく光ファイバ心線の取り出しが確実に行え、且つ、光ドロップケーブの側面に設けられたマーキングが容易に視認できる光ドロップケーブルを提供することを目的とする。
【課題を解決するための手段】
【００１０】
上記課題を解決するために請求項１に記載の本発明は、平行に配置された光ファイバ心線とテンションメンバとを外被によって被覆した本体部が首部を介して吊線部と一体に連結された光ドロップケーブルにおいて、前記テンションメンバが前記本体部の略中央部に配置された前記光ファイバ心線よりも前記吊線部側に配置され、前記本体部に前記吊線部側の両角部から前記光ファイバ心線に近接するようにして当該光ファイバ心線取り出し用の一対のノッチを形成することにより断面略Ｕ字形状でその断面積が１．５ｍｍ２以上の前記光ファイバ心線及び前記テンションメンバが存在しないシース部を形成し、当該シース部の側面を印刷面としたことを特徴とする光ドロップケーブルを提供する。
【００１１】
上記課題を解決するために請求項２に記載の本発明は、平行に配置された光ファイバ心線とテンションメンバとを外被によって被覆した本体部が首部を介して吊線部と一体に連結された光ドロップケーブルにおいて、前記テンションメンバが前記本体部の略中央部に配置された前記光ファイバ心線よりも前記吊線部側とは反対側に配置され、前記本体部に前記吊線部とは反対側の両角部から前記光ファイバ心線に近接するようにして当該光ファイバ心線取り出し用の一対のノッチを形成することにより断面略Ｕ字形状でその断面積が１．５ｍｍ２以上の前記光ファイバ心線及び前記テンションメンバが存在しないシース部を形成し、当該シース部の側面を印刷面としたことを特徴とする光ドロップケーブルを提供する。
【００１２】
上記課題を解決するために請求項３に記載の本発明は、請求項１又は２に記載の光ドロップケーブルにおいて、前記ノッチは、断面が略Ｖ字状でその先端が前記光ファイバ心線に向かって屈曲して形成されていることを特徴とする。
【発明の効果】
【００１３】
本発明に係る光ドロップケーブルによれば、必要な強度を備えつつ小型化を図ることができ、光ファイバ心線を破損することなく光ファイバ心線取り出し作業を確実に行えるという効果がある。
また、本発明に係る光ドロップケーブルによれば、本体部の両側面にノッチの開口が露出しないようにしたので、本体部へのマーキングがノッチになされることがなくなり、作業所におけるマーキングの視認性が極めて向上するという効果がある。
【図面の簡単な説明】
【００１４】
【図１】本発明に係る光ドロップケーブルの第一の実施形態を示す正面断面図である。
【図２】本発明に係る光ドロップケーブルの第二の実施形態を示す正面断面図である。
【図３】従来の光ドロップケーブルの構成を示す断面図である。
【図４】図３とは別の従来の光ドロップケーブルの構成を示す断面図である。
【発明を実施するための形態】
【００１５】
１．第一の実施形態
［光ドロップケーブルの構成］
本発明に係る光ドロップケーブルの好ましい一実施形態について図面を参照しつつ説明する。図１は本発明に係る光ドロップケーブルの第一の実施形態を示す断面図である。光ドロップケーブル１は、概略として、平行に配置された光ファイバ心線１２とテンションメンバ１１とを外被によって被覆した本体部１７が首部１４を介して吊線部１６と一体に連結されて形成されている。吊線部１６は鋼線によって形成された吊線１０を有し、本体部１７はＦＲＰ等によって形成されたテンションメンバ１１と光ファイバ心線１２を有し、吊線１０と光ファイバ心線１２とテンションメンバ１１が一直線上（同一平面上）に配置されている。すなわち、テンションメンバ１１は本体部１７の略中央部に配置された光ファイバ心線１２よりも吊線部１６側とは反対側に配置されている。そして、吊線１０とテンションメンバ１１及び光ファイバ心線１２を難燃ポリエチレンからなる共通シース１３によって被覆して形成されている。共通シース１３は、光ファイバ心線１２を中心としてテンションメンバ１１の反対側に断面略Ｕ字形状に膨出しており、この部分がシース部２０となっている。シース部２０には光ファイバ心線１２及びテンションメンバ１１は存在していない。そして、共通シース１３には、吊線１０とテンションメンバ１１との間に狭い幅及び短い高さの首部１４が設けられ、さらに、本体部１７の吊線部１６側の両角部から光ファイバ心線１２に近接するようにして略Ｖ字形状のノッチ部１５，１５が設けられている。
【００１６】
上述のように、吊線１０とこれを被覆する共通シース１３とは吊線部１６を形成しており、また、テンションメンバ１１、光ファイバ心線１２及びテンションメンバ１１とこれらを被覆する共通シース１３とは本体部（ケーブル部とも言う）１７を形成している。本体部１７は、テンションメンバ１１側から光ファイバ心線１２側に向かって次第に幅が狭くなる略台形の断面形状とされ、シース部２０の内側に立設したような状態でシース部２０と連結されている。
【００１７】
そして、本体部１７の吊線部１６側の両角部に開口を有する断面形状が略Ｖ字形状のノッチ部１５，１５によってシース部２０は、断面形状が略Ｕ字形状とされ、その両端が吊線部１６側に向かうようにして形成されている。シース部２０をこのように形成することによってシース部２０の両側面はできるだけ広い平面を確保したマーキング領域２１になっており、従来の光ドロップケーブル１００のように両側面にノッチの凹み部を有しないので印字文字を同一平面上に印字することができる。また、このように形成することでシース部２０の断面積を１．５ｍｍ２以上にすることを可能にしている。よって、このような形状のノッチ部１５は本体部１７の表面の平面部を大きくすることに寄与している。
【００１８】
［光ドロップケーブルの使用法］
次に、上述した光ドロップケーブル１の使用法について説明する。ここでは一般住宅に引き込む場合を例に説明する。光ドロップケーブル１は住宅の近傍の電柱にまで引かれた後、光クロージャ、ケーブル引留具、光配線クリート等（何れも図示せず）を順次介して外壁等に取り付けられた図示しない光キャビネットに引き込まれる。この際、光ドロップケーブル１の端部は首部１４の部位から吊線部１６と本体部１７とに引き裂かれ、吊線部１６は上記ケーブル引留具に引き留められ、さらに、本体部１７が上記光キャビネット内に引き込まれるが、光ドロップケーブル１の種類や線長等の情報は平面状のシース部２０のマーキング領域２１に印字されていることから視認性が良く、作業者の誤読を防止する。光キャビネットでは本体部１７の光ファイバ心線１２に図示しないインドア光ファイバ心線が光結合され、このインドア光ファイバ心線が住宅内に引き込まれる。インドア光ファイバ心線の終端には光コネクタが取り付けられ、この光コネクタが住宅の室内に設置されているパーソナルコンピュータ（ＰＣ）用等のネットワーク端末装置に接続される。
【００１９】
本体部１７から光ファイバ心線１２を引き出す場合、ノッチ部１５の根元部分から本体部１７とシース部２０とを互いに反対方向へ捩じるようにするとシース部２０が本体部１７から分離すると、光ファイバ心線１２が引き出されて露出する。光ファイバ心線１２を所望の長さにし、これを上記光キャビネット内においてコネクタ等を介してインドア光ファイバ心線の心線に光接続する。以上により光ドロップケーブル１の布設作業が終了する。
【００２０】
［第一の実施形態の効果］
第一の実施形態の光ドロップケーブルによれば、本体部１７の吊線部１６側の両角部から光ファイバ心線１２に向かって一対のノッチ部１５，１５を形成したので、断面形状が略Ｕ字形状のシース部２０の両側面に大きな平面部を形成することができ、この部分をマーキング領域２１として利用することによって印字文字等の視認性を高めることができるという効果がある。
【００２１】
また、本体部１７の形状を上述のように形成することによりシース部２０の断面積を１．５ｍｍ２以上にすることができ、これによって吊線部１６から本体部１７を分離する際、本体部１７に加わる歪みを４％以下にでき、テンションメンバ１１及び光ファイバ心線１２を損傷することなく本体部１７を吊線部１６から分離することができると共に、光ファイバ心線１２の取り出しが容易になるという効果がある。
【００２２】
２．第二の実施形態
次に、本発明に係る光ドロップケーブルの第二の実施形態について説明する。図２は発明に係る光ドロップケーブルの第二の実施形態を示す正面断面図である。本実施形態は概略として第一の実施形態における本体部１７とシース部２０の配置を入れ替えたものであり、その他の構成は第一の実施形態と同様である。本実施形態の場合は、一直線上（同一平面上）に配置されるのは、吊線１０、光ファイバ心線１２、テンションメンバ１１の順となる。
【００２３】
具体的には、テンションメンバ１１が本体部１７の略中央部に配置された光ファイバ心線１２よりも吊線部１６側とは反対側に配置され、本体部１７に吊線部１６とは反対側の両角部から光ファイバ心線１２に近接するようにして一対のノッチ１５，１５が形成されている。これにより、断面略Ｕ字形状でその断面積が１．５ｍｍ２以上のシース部２０が形成され、シース部２０の両側面が印刷面となっている。
【００２４】
［第二の実施形態の効果］
第二の実施形態の光ドロップケーブルによっても第一の実施形態と同様の効果を得ることができる。
また、ノッチ部１５の開口が図２に示すように下方向を向いているため、ノッチ部１５内に雨水や埃等が堆積するのが防止される。
【００２５】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。例えば、吊線１０は鋼線を用いたが、金属は落雷を誘導する可能性が高い。そこで、落雷が頻発するような地域向けの光ドロップケーブル１は、吊線１０を繊維強化プラスチック（ＦＲＰ）などの無誘導材料にした構成にすることができる。
【符号の説明】
【００２６】
１      光ドロップケーブル
１０    吊線
１１    テンションメンバ
１２    光ファイバ心線
１３    共通シース
１４    首部
１５    ノッチ部
１６    吊線部
１７    本体部
２０    シース部
２１    マーキング領域
【図１】
2013020097.tif 000003
【図２】
2013020097.tif 000004
【図３】
2013020097.tif 000005
【図４】
2013020097.tif 000006